(57)【要約】      （修正有）【課題】髭剃り等の作業をする際、労せずに鏡を任意の位置へ移動でき、両手（又は片手）を使用せずにその位置を保持したまま、楽な姿勢で作業を行うことのできるフレキシブルミラーを提供する。【解決手段】鏡１と球状関節付プレート４に着脱可能部材（面ファスナー等）２、３で各々接着し連結させたものと、球状関節ジョイントアーム８を、球状関節付ジョイント６の両端に球状関節受ジョイント５、７の２つを連結させた曲折可能な連結部材を用いて連結する。さらに球状関節ジョイントアーム１２の一方も、球状関節付ジョイント１０の両端に球状関節受ジョイント９、１１の２つを連結させた曲折可能な連結部材を用いて連結する。球状関節ジョイントアーム１２の両端付近に、吸盤１３、１４を差込んで壁等１５へ固定する。球状関節ジョイントアーム１２と、球状関節ジョイントアーム８の任意の箇所へ弾性部材１６（輪ゴム等）を巻き回す。【選択図】図１
0003108556.tif 000002
【実用新案登録請求の範囲】
【請求項１】
着脱可能な機構を有した鏡（鏡１）と、任意の長さを有するアーム状の部材（球状関節付ジョイントアーム８）と、壁面等（壁面等１５）に固定した球状関節付部材（球状関節ジョイントアーム１２）を、曲折可能な連結部材２つ（ジョイント５、６、７およびジョイント９、１０、１１）を使用して連結し、鏡（鏡１）を壁等に固定された部分から鏡までの長さの範囲内で希望する任意の位置、角度へ移動が可能なこと、また弾性部材（弾性部材１６）を用いてその位置、角度を本考案品自体で保持できることを特徴とする鏡であり、図１にある着脱可能な対の部材（２と３で着脱可能な部材２、３）と吸盤（吸盤１３、１４）以外は軽量化のためアクリル等の軽量素材を使用する。
【請求項２】
鏡（鏡１）と一方を壁面等（壁面等１５）に曲折可能な状態で固定されたアーム状部材（球状関節ジョイントアーム８）の先端部または先端部に取り付けられた球状関節付部材（球状関節付プレート４）に、着脱可能対の部材（面ファスナー等の、２と３で着脱可能な部材２、３）各々（面ファスナー等）を接着することで、本考案品（図１）と着脱可能な鏡（鏡１）。
【請求項３】
球状関節付ジョイント（球状関節付ジョイント６）の両端に、球状関節受ジョイントの２つ（球状関節受ジョイント５、７）を連結させた曲折可能な連結部材。または球状関節付ジョイント（球状関節付ジョイント６）と球状関節受ジョイント（球状関節受ジョイント７）を、単体で双方の機能を有する球状関節付の球状関節受ジョイント部材（図３）に置き換えた曲折可能な連結部材。
【請求項４】
任意の長さを有するアーム状部材（球状関節付ジョイントアーム８）の一方の端に球状関節付ジョイント（球状関節付ジョイント６）の両端に球状関節受ジョイント２つ（球状関節受ジョイント５、７）を連結させた曲折可能な連結部材で球状関節を有する部材（球状関節付プレート４）を連結。もう一方の端にも機構上上記同様の連結部材（球状関節付ジョイント１０、および球状関節受ジョイント９、１１）で壁面等（壁面等１５）に固定された球状関節を有する部材（球状関節付ジョイントアーム１２）を連結することで、両端の距離の範囲内で位置、角度を自由に変更できる機構。
【請求項５】
任意の長さを有するアーム状部材（球状関節付ジョイントアーム８）の一方の端に、曲折可能な球状関節等を複数有する連結部材（ジョイント５、６、７）鏡（鏡１）または鏡（鏡１）に固定された部材（球状関節付プレート４）を連結、他方の端にも同様な連結部材（ジョイント９、１０、１１）を用いて、壁面等（壁面等１５）に固定された部材（球状関節ジョイントアーム１２）を連結し、鏡（鏡１）を任意の希望する位置へ移動できる機構。
【請求項６】
各々が曲折可能な状態で連結された、壁面等に固定した部材（球状関節ジョイントアーム１２）と、任意の長さを有するアーム状部材（球状関節付ジョイントアーム８）の任意の位置を、弾性部材（弾性部材１６）で接続し、曲折可能なアーム状部材（球状関節付ジョイントアーム８）の連結されていない端（本考案品で言う鏡１の部分）が自重によって倒伏することを防止する機構。
【考案の詳細な説明】
【技術分野】
【０００１】本考案は鏡で顔を見ながら髭剃り等の作業をする際、労せずに鏡を希望する任意の位置へ移動でき、両手（又は片手）を使用せずにその位置を保持したまま、楽な姿勢で作業を行うための、部材の材質、接続順、個数、機構に関する。
【背景技術】
【０００２】容易に手で保持できる様な形状に加工した鏡の利用。または、洗面台やドレッサー等に代表される固定された鏡を利用する。
【考案の開示】
【考案が解決しようとする課題】
【０００３】鏡を手で保持した場合は使用している手の自由が利かなくなり作業性が悪い。【０００４】一般的な洗面台やドレッサー等を利用すると下部にシンクやテーブルがあり、目と鏡の距離が開き映った像が見にくくなるために目を鏡に接近させる。このことにより不安定な前屈みの姿勢となり、腰への負担が増大する。【０００５】洗面台等の固定された鏡の汚れを取除く際、据付場所を考慮すると、拭き取る作業となり、硝子製の場合はよいが軽量化を考慮したてアクリル素材等の場合は傷が付きやすく映りが悪くなる。【０００６】壁面等に固定されたアーム状部材の先に鏡を取り付けた場合、アーム状部材はある程度の長さが必要であり、軽量な鏡であっても希望する任意の位置への移動、およびその位置を自体で保持する事を考慮すると、鏡等の自重によるアーム状部材の倒伏防止のため、可動部（特に壁面側の曲折可能な可動部）は頑丈、または複雑な設計にせざるを得なく、利用したい場所を考慮するとコスト的、スペース的、視覚的、機構的に現実的でない。
【課題を解決するための手段】
【０００７】請求項１においては、着脱可能な機構を有した鏡（鏡１）と、任意の長さを有するアーム状部材（球状関節付ジョイントアーム８）と、壁面等（壁面等１５）に固定した球状関節付部材（球状関節ジョイントアーム１２）を、曲折可能な連結部材２つ（ジョイント５、６、７およびジョイント９、１０、１１）を使用して連結し、鏡（鏡１）を壁等に固定された部分から鏡までの長さの範囲内で希望する任意の位置、角度へ移動が可能なこと、また弾性部材（弾性部材１６）を用いてその位置、角度を本考案品自体で保持できることを特徴とする鏡であり、図１にある着脱可能な部材（２と３で着脱可能な部材２、３）と吸盤（吸盤１３、１４）以外は軽量化のためアクリル等の軽量素材を使用したものである。請求項２においては、鏡（鏡１）と一方を壁面等（壁面等１５）に曲折可能な状態で固定されたアーム状の（球状関節ジョイントアーム８）の先端部または先端部に取り付けられた球状関節付部材（球状関節付プレート４）各々に、着脱可能部材（面ファスナー等の、２と３で着脱可能な部材２、３）を接着することにより、本考案品（図１）と鏡（鏡１）が容易に着脱可能となりアクリル素材等の材質であっても水道をかけながら洗剤等で洗い流すことで傷を付けずに汚れを取除ける。請求項３においては、球状関節付ジョイント（球状関節付ジョイント６）の両端に、球状関節受ジョイントの２つ（球状関節受ジョイント５、７）を連結させた曲折可能な連結部材。または球状関節付ジョイント（球状関節付ジョイント６）と球状関節受ジョイント（球状関節受ジョイント７）を、単体で双方の機能を有する球状関節付の球状関節受ジョイント部材（図３）に置き換えた曲折可能な連結部材とすることにより、部材点数を最小限で連結した部材をほぼ自由な位置、角度へ曲折可能な連結部材とした。請求項４においては、任意の長さを有するアーム状部材（球状関節付ジョイントアーム８）の一方の端に、球状関節付ジョイント（球状関節付ジョイント６）の両端に球状関節受ジョイント２つ（球状関節受ジョイント５、７）を連結させた曲折可能な連結部材で球状関節を有する部材（球状関節付プレート４）を連結。もう一方の端にも機構上上記同様の連結部材（球状関節付ジョイント１０、および球状関節受ジョイント９、１１）で壁面等（壁面等１５）に固定された球状関節を有する部材（球状関節付ジョイントアーム１２）を連結することで、任意の長さを有するアーム状の部材（球状関節付ジョイントアーム８）としては１本のみで、両端に連結した部材をほぼ自由な位置、角度へ曲折可能な単純で部材点数を最小限にした機構とした。請求項５においては、任意の長さを有するアーム状部材（球状関節付ジョイントアーム８）の両端に、曲折可能な球状関節等を複数有する連結部材（ジョイント５、６、７およびジョイント９、１０、１１）を用い、鏡（鏡１）または鏡（鏡１）に固定された部材（球状関節付プレート４）と、壁面等（壁面等１５）に固定された部材（球状関節ジョイントアーム１２）を連結し、鏡（鏡１）を任意の希望する位置、角度へ移動できる機構とした。請求項６においては、各々が曲折可能な状態で連結された、壁面等に固定した部材（球状関節ジョイントアーム１２）と、任意の長さを有するアーム状の部材（球状関節付ジョイントアーム８）の任意の位置を、弾性部材（弾性部材１６）で接続し、曲折可能なアーム状の部材（球状関節付ジョイントアーム８）で連結されていない側（本考案品で言う鏡１の部分）が自重による倒伏を防止する単純な機構とした。
【考案の効果】
【０００８】鏡で顔を見ながら髭剃り等の作業をする際、本考案品の連結方法により鏡を希望の位、角度に配置できるため洗面所等で腰に負担のかからない自然体で作業ができ、かつ両手が使える。鏡を容易に取り外すことができ、軽量素材の鏡でも水道水をかけながら洗剤で汚れを取除けるため、常に清潔を保て、キズも付かない。安価な軽量部材（アクリル等）で構成点数も少なくで省スペースであり、視覚的に威圧感がないことから、本考案品を最も使用することが考えられる洗面所等へ気兼ねなく設置が可能。弾性部材は経年変化による劣化が考えられるが、輪ゴムを利用でき消耗品として考えても安価で交換作業も簡単である。また単純な機構で故障がなく維持にかかる保守が容易。
【図面の簡単な説明】
【０００３】
【図１】本考案の側面見取り図である。（一部断面図を含む。）
【図２】「図１」の符号５、７、９、１１の見取り図である。
【図３】「図１」の符号５、７及び９、１１の代替可能部材の見取り図である。
【符号の説明】
【０００３】１・・・・・・・・・・・鏡２、３・・・・・・・・・２と３で着脱可能な部材（面ファスナー等）４・・・・・・・・・・・球状関節付プレート５、７、９、１１・・・  球状関節受ジョイント  ６、１０・・・・・・・・球状関節付ジョイント  ８、１２・・・・・・・・球状関節付ジョイントアーム１３、１４・・・・・・・・吸盤１５・・・・・・・・・・・壁面等１６・・・・・・・・・・・弾性部材（輪ゴム等）
【図１】
0003108556.tif 000003
【図２】
0003108556.tif 000004
【図３】
0003108556.tif 000005
【手続補正書】
【提出日】平成16年5月22日(2004.5.22)
【手続補正１】
【補正対象書類名】実用新案登録請求の範囲
【補正対象項目名】全文
【補正方法】変更
【補正の内容】
【実用新案登録請求の範囲】
【請求項１】
鏡を着脱自在に固定した球状関節付プレートの球部と、球状関節付ジョイントアーム（８）の両端にある球部、及び壁面に着脱自在に取り付けられた球状関節付ジョイントアーム（１２）の一端にある球部各々に、球状関節受ジョイントを連結し、各球状関節受ジョイントを連結するために球状関節付ジョイントを用いた構成にすると共に、壁面に固定された球状関節付ジョイントアーム（１２）と、球状関節受ジョイント、球状関節付ジョイント、および球状関節付ジョイントアーム（８）を介した球状関節付プレートに固定された鏡が、旋回自在に支持されてなることを特徴とするフレキシブルミラー。
【請求項２】
球状関節付ジョイントアーム（１２）の連結されていない側の球状部分と球状関節付ジョイントアーム（８）に弾性部材を巻き回し、壁面に固定された球状関節付ジョイントアーム（１２）と、球状関節受ジョイント、球状関節付ジョイントおよび球状関節付ジョイントアーム（８）を介した球状関節付プレートに固定された鏡本体を旋回させ任意の位置で保持する際、自重によって鏡が倒伏することを防止する機構を備えた請求項１記載のフレキシブルミラー。